(57)【要約】【課題】この発明は、種々のアンリコリジョン方式に対応でき、種々の運用システムで利用される種々のリーダライタのアンチコリジョンに対応できる無線カードを提供できる。【解決手段】この発明は、予め種々のアンリコリジョン方式を実現する種々の制御プログラムを記憶しておき、発行処理時に、発行者が有効とするアンチコリジョン方式を設定できるようにしたものである。【選択図】    図１
2004206575.tif 000002
【特許請求の範囲】
【請求項１】
無線通信を行う携帯可能電子媒体において、
複数の通信方式を実現する複数の制御プログラムが予め記憶されている記憶手段と、
この記憶手段に記憶されている通信方式のうち特定の通信方式を設定する設定手段と、
この設定手段により設定された通信方式でのみ無線通信を実行する実行手段と、
を具備することを特徴とする携帯可能電子媒体。
【請求項２】
無線通信を行う携帯可能電子媒体において、
複数の通信方式を実現する複数の制御プログラムが予め記憶されている第１の記憶手段と、
データの書き換え可能な第２の記憶手段と、
この第２の記憶手段における所定の記憶領域に通信方式に対応づけられた設定値を書き込むことにより前記記憶手段に記憶されている通信方式のうち特定の通信方式を設定する設定手段と、
この設定手段により前記第２の記憶手段における所定の記憶領域に記憶された設定値に対応する通信方式でのみ無線通信を実行する実行手段と、
を具備することを特徴とする携帯可能電子媒体。
【請求項３】
無線通信を行う携帯可能電子媒体において、
複数の通信方式を実現する複数の制御プログラムが予め記憶されている第１の記憶手段と、
所定の記憶領域に通信方式に対応づけられた設定値が予め記憶されているデータの書き換え可能な第２の記憶手段と、
この第２の記憶手段における所定の記憶領域に記憶されている設定値に対応する通信方式でのみ無線通信を実行する実行手段と、
この実行手段により実行される無線通信により発行装置から設定すべきアンリコリジョン方式を示す情報を受信した場合、前記第２の記憶手段における所定の記憶領域に記憶されている設定値を前記発行装置から受信した通信方式に対応づけられた設定値に書き換えることにより前記実行手段により実行する無線通信の通信方式を設定する設定手段と、
を具備することを特徴とする携帯可能電子媒体。
【請求項４】
前記第２の記憶手段には、初期状態の無線カードが無線通信を実行するための所定の通信方式に対応づけられた設定値が予め記憶されており、
前記設定手段は、前記発行装置から当該無線カードの運用用途に応じた通信方式を示す情報を受信し、前記第２の記憶手段における所定の記憶領域に記憶されている設定値を当該通信方式に対応づけられた設定値に書き換えるものである、
ことを特徴とする前記請求項３に記載の携帯可能電子媒体。
【請求項５】
無線通信を行う携帯可能電子媒体に用いられる通信方法であって、
複数の通信方式を実現する複数の制御プログラムを予め記憶手段に記憶しておき、
前記記憶手段に記憶されている通信方式のうち特定の通信方式を設定し、
この設定された通信方式でのみ無線通信を実行する、
ことを特徴とする携帯可能電子媒体に用いられる通信方法。
【請求項６】
無線通信を行う携帯可能電子媒体に用いられる通信方法であって、
複数の通信方式を実現する複数の制御プログラムを予め第１の記憶手段に記憶しておき、
データの書き換え可能な第２の記憶手段における所定の記憶領域に通信方式に対応づけられた設定値を書き込むことにより前記第１の記憶手段に記憶されている通信方式のうち特定の通信方式を設定し、
この設定により前記第２の記憶手段における所定の記憶領域に記憶された設定値に対応する通信方式でのみ無線通信を実行する、
ことを特徴とする携帯可能電子媒体に用いられる通信方法。
【請求項７】
無線通信を行う携帯可能電子媒体に用いられる通信方法であって、
複数の通信方式を実現する複数の制御プログラムを予め第１の記憶手段に記憶しておき、
所定の記憶領域に通信方式に対応づけられた設定値を予めデータの書き換え可能な第２の記憶手段に記憶しておき、
前記第２の記憶手段における所定の記憶領域に記憶されている設定値に対応する通信方式でのみ無線通信を実行し、
前記第２の記憶手段における所定の記憶領域に予め記憶されている設定値に対応する通信方式により実行される無線通信にて発行装置から設定すべきアンリコリジョン方式を示す情報を受信した場合、前記第２の記憶手段における所定の記憶領域に記憶されている設定値を前記発行装置から受信した通信方式に対応づけられた設定値に書き換えることにより当該携帯可能電子媒体が実行可能な無線通信の通信方式を設定する、
ことを特徴とする携帯可能電子媒体に用いられる通信方法。
【発明の詳細な説明】
【０００１】
【発明の属する技術分野】
この発明は、例えば、不揮発性メモリなどが内蔵された無線カードと称される非接触式のＩＣカードなどの携帯可能電子媒体及び携帯可能電子媒体に用いられる通信方法に関する。
【０００２】
【従来の技術】
従来、無線カードと称される非接触式のＩＣカードは、無線通信の通信方式としてのアンチコリジョン方式を１つしか搭載していない。しかしながら、１つの上位装置と複数の無線カードとの通信方式としてのアンチコリジョン方式としては、多種の方式が考えられている。このため、無線カードリーダライタなどの上位装置では、複数の無線カードに対する通信方式として種々のアンチコリジョン方式が採用されていることがある。従って、従来の無線カードでは、当該無線カードに搭載しているアンチコリジョン方式に対応していない上位装置との通信ができないという問題点がある。
【０００３】
また、上記のような無線カードは、通常、開発者（製造者）が製造した初期状態の無線カードに対して、運用者（発行者）が発行装置等を用いて発行処理を施すことにより、一般の利用者が利用可能な無線カードとなる。このため、様々な運用者（発行者）からの要求を受ける毎に、各発行者が要望するアンチコリジョン方式を搭載した無線カードを開発するのは、無線カードの製造者側の大きな負担となってしまうという問題点がある。
【０００４】
【発明が解決しようとする課題】
この発明は、上記のように、種々の上位装置が採用している種々の通信方式に対応することができないという問題点を解決するためになされたものであり、種々の上位装置が採用している種々の通信方式に対応することが可能な携帯可能電子媒体及び携帯可能電子媒体に用いられる通信方法を提供することを目的としている。
【０００５】
また、様々な発行者からの要求に対応する通信方式を搭載した携帯可能電子媒体を開発するのは大きな負担となるという問題点を解決するためになされたものであり、開発に大きな負担がかかることなく、複数の通信方式から当該携帯可能電子媒体にて実行する無線通信の通信方式を簡単に選択して設定することができる携帯可能電子媒体及び携帯可能電子媒体に用いられる通信方法を提供することを目的としている。
【０００６】
【課題を解決するための手段】
この発明の携帯可能電子媒体は、無線通信を行うものにおいて、複数の通信方式を実現する複数の制御プログラムが予め記憶されている記憶手段と、この記憶手段に記憶されている通信方式のうち特定の通信方式を設定する設定手段と、この設定手段により設定された通信方式でのみ無線通信を実行する実行手段とを有する。
【０００７】
この発明の携帯可能電子媒体は、無線通信を行うものにおいて、複数の通信方式を実現する複数の制御プログラムが予め記憶されている第１の記憶手段と、データの書き換え可能な第２の記憶手段と、前記第２の記憶手段における所定の記憶領域に通信方式に対応づけられた設定値を書き込むことにより前記記憶手段に記憶されている通信方式のうち特定の通信方式を設定する設定手段と、この設定手段により前記第２の記憶手段における所定の記憶領域に記憶された設定値に対応する通信方式でのみ無線通信を実行する実行手段とを有する。
【０００８】
この発明の携帯可能電子媒体は、無線通信を行うものにおいて、複数の通信方式を実現する複数の制御プログラムが予め記憶されている第１の記憶手段と、所定の記憶領域に通信方式に対応づけられた設定値が予め記憶されているデータの書き換え可能な第２の記憶手段と、この第２の記憶手段における所定の記憶領域に記憶されている設定値に対応する通信方式でのみ無線通信を実行する実行手段と、この実行手段により実行される無線通信により発行装置から設定すべきアンリコリジョン方式を示す情報を受信した場合、前記第２の記憶手段における所定の記憶領域に記憶されている設定値を前記発行装置から受信した通信方式に対応づけられた設定値に書き換えることにより前記実行手段により実行する無線通信の通信方式を設定する設定手段とを有する。
【０００９】
この発明の携帯可能電子媒体に用いられる通信方法は、無線通信を行う携帯可能電子媒体に用いられる方法であって、複数の通信方式を実現する複数の制御プログラムを予め記憶手段に記憶しておき、前記記憶手段に記憶されている通信方式のうち特定の通信方式を設定し、この設定された通信方式でのみ無線通信を実行することを特徴とする。
【００１０】
この発明の携帯可能電子媒体に用いられる通信方法は、無線通信を行う携帯可能電子媒体に用いられる方法であって、複数の通信方式を実現する複数の制御プログラムを予め第１の記憶手段に記憶しておき、データの書き換え可能な第２の記憶手段における所定の記憶領域に通信方式に対応づけられた設定値を書き込むことにより前記第１の記憶手段に記憶されている通信方式のうち特定の通信方式を設定し、この設定により前記第２の記憶手段における所定の記憶領域に記憶された設定値に対応する通信方式でのみ無線通信を実行することを特徴とする。
【００１１】
この発明の携帯可能電子媒体に用いられる通信方法は、無線通信を行う携帯可能電子媒体に用いられる方法であって、複数の通信方式を実現する複数の制御プログラムを予め第１の記憶手段に記憶しておき、所定の記憶領域に通信方式に対応づけられた設定値を予めデータの書き換え可能な第２の記憶手段に記憶しておき、前記第２の記憶手段における所定の記憶領域に記憶されている設定値に対応する通信方式でのみ無線通信を実行し、前記第２の記憶手段における所定の記憶領域に予め記憶されている設定値に対応する通信方式により実行される無線通信にて発行装置から設定すべきアンリコリジョン方式を示す情報を受信した場合、前記第２の記憶手段における所定の記憶領域に記憶されている設定値を前記発行装置から受信した通信方式に対応づけられた設定値に書き換えることにより当該携帯可能電子媒体が実行可能な無線通信の通信方式を設定することを特徴とする。
【００１２】
【発明の実施の形態】
以下、この発明の実施の形態について図面を参照して説明する。
図１は、この発明の実施の形態に係る無線カード（携帯可能電子媒体）の概略構成を示すブロック図である。
上記無線カードＣは、図示しないリーダライタなどの上位装置との無線通信を行う機能を有するものである。上記無線カードＣは、例えば、ＩＣモジュールやアンテナ等が内蔵されたカード状の筐体からなるものである。
【００１３】
上記無線カードＣは、図１に示すように、制御部１１、コプロセッサ部１２、メモリ部１３、通信インターフェース（Ｉ／Ｆ）部１４、アンテナ部１７、整流回路１８、及び電源部１９などを有している。
上記制御部１１は、無線カードＣ全体の制御を司るものである。上記制御部１１は、上記メモリ部１３に記憶された制御プログラムなどに基づいて動作する。上記コプロセッサ部１２は、上記アンテナ部１７及び上記通信インターフェース部１４により受信したデータの内容によって、ＲＳＡ演算などを行うものである。
【００１４】
上記メモリ部１３は、制御プログラム及び種々のデータが記憶される。上記メモリ部１３は、ＲＡＭ１３ａ、ＲＯＭ１３ｂ、及び不揮発性メモリ１３ｃなどにより構成される。
上記ＲＡＭ１３ａは、ワーキングメモリとして機能する揮発性のメモリであり、処理中のデータなどを一時保管するバッファとして機能する。このＲＡＭ１３ａは、例えば、上記通信インターフェース部１４により上位装置から受信したデータを一時保管するようになっている。
【００１５】
上記ＲＯＭ１３ｂは、予め制御用のプログラムや制御データなどが記憶されている不揮発性のメモリである。上記ＲＯＭ１３ｂには、当該無線カードの製造段階で仕様に応じた種々の制御プログラムが予め組み込まれる。
上記不揮発性メモリ１３ｃは、例えば、ＥＥＰＲＯＭあるいはフラッシュＲＯＭなどにより構成される。上記不揮発性メモリ１３ｃは、無線カードの発行処理（無線カードを運用可能な状態にする処理）などにおいてデータの書き込みが可能な不揮発性のメモリである。上記不揮発性メモリ１３ｃには、例えば、当該ＩＣカード２の運用用途に応じてプログラムファイルやデータファイルなどが定義され、それらのファイルにデータが書き込まれるようになっている。
【００１６】
上記通信インターフェース部１４は、上記アンテナ部１７を介して送受信される電波による外部機器との通信を制御するものである、上記通信インターフェース部１４は、変調回路１５ａ、送信回路１５ｂ、受信回路１６ａ、及び復調回路１６ｂなどを有している。上記アンテナ部１７は、電波の送受信を行なうものであり、例えば、無線カードの筐体内に設置されたコイルからなるループアンテナなどで構成される。上記整流回路１８は、上記アンテナ部１７にて受信した電波により発生した電流を整流して上記電源部１９へ供給するものである。上記電源部１９は、上記整流回路１８により整流された上記アンテナ部で受信した電波により電源電圧を生成するものである。
【００１７】
次に、上記のように構成される無線カードの基本的な動作について説明する。
上記無線カードに対して、図示しない上位装置からの通信用の信号が送信されたものとする。すると、上記無線カードは、上記アンテナ部１７により上位装置からの電波を受信し、上記通信インターフェース部１４の上記受信回路１６ａへ送信する。上記受信回路１６ａは受信した信号を２値化し、上記復調回路１６ｂへ供給する。上記復調回路１６ｂは、上記受信回路１６ａから供給された信号を復調し、上記制御部１１へ供給する。
【００１８】
上記制御部１１は、上記復調回路１６ｂから供給された信号に基づいて処理を行う。例えば、受信した信号に基づいてＲＳＡ演算などを行う場合には、上記制御部１１は、上記コプロセッサ部１２によりＲＳＡ演算などを行う。また、上記メモリ部１３へのデータの書き込みあるいは読み込みを行う場合、上記制御部１１は、上記メモリ部１３とのデータのやり取りを行う。
【００１９】
また、無線カードＣから外部へデータを送信する場合、上記制御部１１は、送信用のデータを上記通信インターフェース部１４内の上記変調回路１５ａへ供給する。上記制御部１１からデータが供給されると、上記変調回路１５ａは、送信用のデータを変調し、上記送信回路１５ｂへ供給する。上記送信回路１５ｂは、上記変調回路１５ａからのデータをアンテナ部１７により送信する。
以上のような流れで、上位装置と無線カードとの無線通信が行われる。
【００２０】
また、上記無線カードＣは、運用上、１つの上位装置に対して１つの無線カードが無線通信を行う場合もあるが、１つの上位装置に対して複数枚の無線カードが無線通信を行う場合もある。上位装置と複数の無線カードとが無線通信を行う場合、上位装置の通信方式に各無線カードが対応していなければ通信が不能となる。例えば、上位装置からの応答要求に対して、複数の無線カードが同時に上位装置へ返信を返すと、複数の無線カードからの信号が衝突してしまうため、上位装置では無線カードからの信号内容が認識できなくなる。つまり、上位装置と複数の無線カードとが無線通信を行う場合には、複数の無線カードが同時に返信することを回避し、上位装置が各無線カードからの信号を正確に認識できるように通信制御を行う必要がある。
【００２１】
上位装置と複数の無線カードとの無線通信に用いられる通信方式は、一般的に、アンチコリジョン方式と呼ばれる。近年では、様々なアンチコリジョン方式が提案されている。このため、上位装置と複数の無線カードとを有するシステムを運用する場合、各無線カードは、運用上で必要となる各無線カードに対する上位装置のアンチコリジョン方式に対応する必要がある。
【００２２】
一般的なアンチコリジョン方式としては、タイムスロット方式、あるいは、スロットマーカー方式等が挙げられる。
タイムスロット方式は、上位装置からの応答要求信号に対して、複数の無線カードがタイミングを変えて、上位装置へ応答信号を返信する。このため、上位装置が各無線カードからの応答信号をそれぞれのタイミングで受信でき、各無線カードからの応答信号が衝突することを回避できる。
【００２３】
また、スロットマーカー方式は、上位装置からの信号を送信し、その信号を受けた複数の無線カードが自身に任意の番号を付けて応答する。これにより、上位装置が各無線カードから受信した番号にて通信相手とする無線カードを指定するようにしたものである。
【００２４】
すなわち、スロットマーカー方式では、まず、上位装置から各無線カードを識別するための番号を要求する信号を送信する。この際、上位装置から送信される信号には、最大何番までの番号を付けて良いかを示すコード情報が含まれている。この信号を受けた各無線カードは、それぞれ乱数等に基づいて上記上位装置により指定された範囲内で自身を識別するための番号を生成し、自身を識別するための番号を上記上位装置へ送信する。各無線カードから番号を受信すると、上位装置は、通信相手とする無線カードの番号を指定して通信を行う。これにより、上位装置が番号にて指定した無線カードのみが応答を行うようになるため、複数の無線カードからの応答信号が衝突することを回避できる。
【００２５】
上記のように、アンチコリジョン方式には、様々な種類の方式が存在する。上記無線カードにおいてはアンチコリジョン方式を実現する制御プログラムが、通常、当該無線カードの製造段階でＲＯＭ等に記憶される。一般的に、無線カードは、予め決めた仕様に基づいて製造され、実施の運用上の用途に応じて運用者（発行者）によって発行処理されることが多いが、このような無線カードの製造段階では、当該無線カードが運用時にどのアンリコリジョン方式による通信が必要であるか不明なことが多い。さらに、単に、無線カードが必要以上に種々のアンチコリジョン方式による無線通信を行うように設定されていると、当該無線カードには、必要のないアンチコリジョン方式のリーダライタに反応してしまうという不具合が生じる可能性もある。
【００２６】
本実施の形態では、予め製造段階で種々のアンチコリジョン方式を実現する種々の制御プログラムを記憶しておき、発行者が発行処理時に必要とするアンチコリジョン方式を設定するようにしたものである。以下に説明では、予め製造段階で種々のアンチコリジョン方式を実現する種々の制御プログラムを無線カード内のＲＯＭ１３ｂに記憶されているものとする。
【００２７】
図２は、不揮発性メモリ１３ｃにおけるアンチコリジョン方式の設定情報を説明するための図である。図２に示すように、不揮発性メモリ１３ｃには、アンチコリジョン方式を設定するための設定情報が記憶される記憶エリア２１を有している。従って、発行処理時には、発行者が上位装置としての発行装置により必要とするアンチコリジョン方式を指定する。
【００２８】
すると、上記発行装置は、発行者により指定されたアンチコリジョン方式を示す情報として当該アンリコリジョン方式に対応づけられている設定値を発行対象とする無線カードＣに送信する。当該無線カードＣの制御部１１は、上記発行装置から受信したアンチコリジョン方式の設定値を不揮発性メモリ１３ｃ内の所定の記憶エリア２１に記憶する。これにより、当該無線カードＣが実行可能なアンチコリジョン方式が設定される。
【００２９】
また、図３は、上記無線カードＣが有しているアンチコリジョン方式とアンチコリジョン方式に対応づけられている設定値との対応関係例を示すテーブルである。図３に示すテーブルは、例えば、ＲＯＭ１３ｂに記憶される情報であるものとする。つまり、種々のアンチコリジョン方式をサポートする無線カードＣには、その製造段階で種々のアンチコリジョン方式を実現する種々の制御プログラムとともに各アンチコリジョン方式と各アンチコリジョン方式に対応づけられている設定値とを示すテーブルがＲＯＭ１３ｂなどに記憶される。
【００３０】
すなわち、上記無線カードＣでは、図３に示すようなテーブルによって、図２に示すような不揮発性メモリ１３ｃの所定の記憶エリア２１に記憶されたアンチコリジョン方式の設定値に対応するアンチコリジョン方式を実行可能なアンチコリジョン方式として判断するようになっている。
【００３１】
例えば、図３に示すテーブルの例では、アンチコリジョン方式を設定する不揮発性メモリ１３ｃの記憶エリア２１に記憶されている値が、００（ｈｅｘ）ならばＡ方式のアンチコリジョン方式を設定し、０１（ｈｅｘ）ならばＢ方式のアンチコリジョン方式を設定し、０２（ｈｅｘ）ならばＣ方式のアンチコリジョン方式を設定するようになっている。従って、上記無線カードＣでは、上記不揮発性メモリ１３ｃの記憶エリア２１に記憶されている設定値を読み取り、上記テーブルに基づいて上記記憶エリア２１から読み取った設定値に対応づけられているアンチコリジョン方式の制御プログラムが動作するように制御される。
【００３２】
次に、上記無線カードＣの動作について説明する。
図４は、上記無線カードＣの動作例を説明するためのフローチャートである。
まず、無線カードＣは、その製造段階において、種々のアンチコリジョン方式の制御プログラムがＲＯＭ１３ｂに記憶され、さらに、図３に示すようなアンチコリジョン方式とアンチコリジョン方式に対応づけられている設定値との対応関係を示すテーブルがＲＯＭ１３ｂに記憶される。さらに、上記無線カードは、初期状態において所定のアンチコリジョン方式にて無線通信が可能なように、上記不揮発性メモリ１３ｃの記憶エリア２１には所定のアンチコリジョン方式に対応づけられた設定値が製造段階で記憶される。
【００３３】
このような初期状態の無線カードＣを用いて発行者は利用者に対する無線カードの発行処理を行う。すなわち、発行処理時、上記無線カードは、初期状態であり、所定のアンリコリジョン方式にて無線通信を行うように設定されている。このため、上位装置としての発行装置と無線カードＣとは、初期状態で設定されている所定のアンチコリジョン方式による無線通信にて発行処理を行う（ステップＳ３１）。
【００３４】
まず、上記無線カードＣに対して上記発行装置は、前記所定のアンチコリジョン方式にて応答要求を行う。上記発行装置からの応答要求が送信されると、上記無線カードは、所定のアンチコリジョン方式にて上記応答要求に対して反応し、当該応答要求に対する応答信号を生成する。この応答信号は、上記所定のアンチコリジョン方式にて当該無線カードＣから上記上位装置へ返信される。
【００３５】
このような動作により発行装置と当該無線カードＣとは、データの送受信が可能な状態となる。この状態において、上記発行装置は、当該無線カードに対する発行処理を実行する。この発行処理において、上記発行装置は、当該無線カードＣに対するアンチコリジョン方式の設定処理を行う（ステップＳ３２、Ｓ３３）。このアンチコリジョン方式の設定は、発行処理の最後に行うようにしても良いし、発行処理中に行うようにしても良い。だだし、この設定処理で設定されるアンチコリジョン方式による無線通信は、発行処理後に有効となるものとし、発行処理は、上記初期状態で設定されているアンチコリジョン方式による無線通信にて行われるものとする。
【００３６】
上記アンチコリジョン方式の設定処理において、上記発行装置では、まず、発行者の操作により当該無線カードＣに設定すべきアンチコリジョン方式が指定される。発行者によりアンチコリジョン方式が指定されると、上記発行装置は、当該無線カードＣへ指定されたアンチコリジョン方式を示す情報として当該アンリコリジョン方式に対応づけられている設定値を送信する。上記発行装置からの設定すべきアンチコリジョン方式を受信した場合、当該無線カードＣの制御部１１は、不揮発性メモリ１３ｃ内の所定の記憶エリア２１に記憶されている設置値を上記発行装置から受信したアンチコリジョン方式の設定値に書き換える。これにより、当該無線カードが実行する通信方式としてのアンチコリジョン方式が設定される。
【００３７】
上記のような設定処理において設定を間違えた場合（ステップＳ３３、ＮＯ）、上記発行装置は、再度、当該無線カードＣへ設定すべきアンリコリジョン方式を示す情報を送信する。これにより、当該無線カードＣの制御部１１は、上記不揮発性メモリ１３ｃ内の所定の記憶エリア２１に記憶されているアンチコリジョン方式の設定値を書き換える。
【００３８】
また、上記のような設定処理により設定されたアンチコリジョン方式に問題なければ（ステップＳ３３、ＹＥＳ）、上記発行装置は、発行処理が完了しているか否かを判断する（ステップＳ３４）。この判断により発行処理が完了していないと判断した場合（ステップＳ３４、ＮＯ）、上記発行装置は、その他の発行処理を実行させるコマンドを当該無線カードＣへ送信する。これにより、当該無線カードは、他の発行処理に伴う処理を実行する（ステップＳ３５）。
【００３９】
また、上記判断により発行処理が完了したと判断すると（ステップＳ３４、ＹＥＳ）、上記発行装置は、当該無線カードＣへ発行処理の完了を示すコマンドを送信する。これにより、当該無線カードＣの制御部１１は、自身をリセットすることにより設定されたアンチコリジョン方式を有効にする動作を行う（ステップＳ３６）。このように、当該無線カード自身をリセットすることによって、当該無線カードＣは、上記不揮発性メモリ１３ｃの記憶エリア２１に書き込まれた設定値に対応づけられている所望のアンチコリジョン方式が有効となる。なお、上記無線カードＣをリセットする方法としては、発行装置のキャリアをオン／オフしたり、上記発行装置からのコマンドにて当該無線カードＣをリセットしたりする方法があるが、当該無線カードをリセットするものであればその方法は問わない。
【００４０】
上記のように、アンチコリジョン方式が設定され、かつ、設定されたアンチコリジョン方式が有効となると、当該無線カードＣは、設定されたアンチコリジョン方式のみで無線通信を実行する（ステップＳ３７）。つまり、当該無線カードＣは、設定したアンチコリジョン方式の応答要求にのみ応答し、他のアンチコリジョン方式のコマンドを受信しても、無応答となる。
【００４１】
また、上記実施の形態では、アンチコリジョン方式を設定値に基づいて設定するものとしたが、複数のアンチコリジョン方式を上記同様に設定値に基づいて設定可能としても良い。この場合、無線カードは、設定された複数のアンチコリジョン方式による通信を可能とし、他の方式では通信できないようにできる。例えば、Ａ方式及びＢ方式を有効にすることにより、Ａ方式及びＢ方式には反応するが、Ｃ方式やその他の方式には反応しないような制限を加えることが可能である。つまり、当該無線カードが対応するアンリコリジョン方式を発行者が選択的に設定することにより、他のアンチコリジョン方式が採用されている他の運用システムのリーダライタからの応答要求に反応しないようにすることができ、当該無線カードが通信の必要がないリーダライタとの無線通信を行わないようにする（不要なリーダライタからの応答要求に反応しないようにする）ことができる。
【００４２】
上記のように、本実施の形態によれば、予め種々のアンリコリジョン方式を実現する種々の制御プログラムを記憶しておき、発行処理時に、発行者が有効とするアンチコリジョン方式を設定できるようにしたものである。
【００４３】
これにより、種々の運用システムで利用される種々のリーダライタのアンチコリジョン方式に対応できる無線カードを提供できる。また、上記のような種々のアンリコリジョン方式に対応可能な無線カードを開発することにより、異なるアンリコリジョン方式による動作が必要な運用システムごとに各運用システムに対応するアンチコリジョン方式を搭載した無線カードを開発する必要がなく、無線カードに開発にかかる負担を軽減できる。
【００４４】
【発明の効果】
以上詳述したように、この発明によれば、種々の上位装置が採用している種々の通信方式に対応することが可能な携帯可能電子媒体及び携帯可能電子媒体に用いられる通信方法を提供できる。
【００４５】
また、開発に大きな負担がかかることなく、複数の通信方式から通信方式を簡単に選択して設定することができる携帯可能電子媒体及び携帯可能電子媒体に用いられる通信方法を提供できる。
【図面の簡単な説明】
【図１】この発明の実施の形態に係る非接触式カードの概略構成を示す図。
【図２】無線カード内のメモリマップの構成例を示す図
【図３】アンチコリジョン方式とアンリコリジョン方式に対応づけられている設定値との関係を示すテーブルの構成例を示す図。
【図４】無線カードの動作例を説明するためのフローチャート。
【符号の説明】
Ｃ…無線カード（非接触式カード、携帯可能電子媒体）、１１…制御部、１２…コプロセッサ部、１３…メモリ部（記憶手段）、１３ａ…ＲＡＭ、１３ｂ…ＲＯＭ、１３ｃ…不揮発性メモリ、１４…通信インターフェース、１７…アンテナ部、２１…記憶エリア
【図１】
2004206575.tif 000003
【図２】
2004206575.tif 000004
【図３】
2004206575.tif 000005
【図４】
2004206575.tif 000006